(57)【要約】【課題】  写真撮影装置の撮影ブース内において、ユーザが好みに応じてより個性的な撮影ポーズを形成できるようにする。【解決手段】  撮影ブース６内の被写体であるユーザ７を撮影するカメラ２と、撮影ブース６内に設けられ、ユーザ７の撮影ポーズの形成を支援するポーズ形成支援手段８とを備える写真撮影装置であって、ユーザ７の撮影ポーズの形成を支援するポーズ形成支援手段８は第１の単位構成体４０および第２の単位構成体４１から構成されている。【選択図】図２
2007025555.tif 000002
【特許請求の範囲】
【請求項１】
撮影ブース内の被写体を撮影する撮影手段と、前記撮影ブース内に設けられ、前記被写体の撮影ポーズの形成を支援するポーズ形成支援手段とを備える写真撮影装置であって、前記ポーズ形成支援手段は複数の単位構成体から構成されていることを特徴とする写真撮影装置。
【請求項２】
それぞれの単位構成体は２以上の面を有し、ポーズ形成支援手段は、それぞれの単位構成体どうしの合わせる面を違えることにより、形態を変更可能に構成されていることを特徴とする請求項１記載の写真撮影装置。
【請求項３】
それぞれの単位構成体は、形状が互いに異なることを特徴とする請求項１または２記載の写真撮影装置。
【請求項４】
ポーズ形成支援手段は２または３個の単位構成体からなり、それぞれの単位構成体は、箱型形状で、かつ、前記それぞれの単位構成体に共通する同一形状の面を少なくとも一つ有し、さらに前記同一形状の面に垂直な方向の寸法が互いに異なることを特徴とする請求項１〜３の何れか１項に記載の写真撮影装置。
【請求項５】
それぞれの単位構成体は同じ形状であることを特徴とする請求項１または２に記載の写真撮影装置。
【請求項６】
ポーズ形成支援手段は２個の単位構成体からなり、それぞれの単位構成体は、断面形状がＬ字状であることを特徴とする請求項５記載の写真撮影装置。
【請求項７】
ポーズ形成支援手段の形態の変更例をユーザに対して表示する表示手段を備えることを特徴とする請求項１〜６の何れか１項に記載の写真撮影装置。
【請求項８】
撮影ブース内の被写体を撮影する撮影手段を有する写真撮影装置における前記撮影ブース内に配置されて前記被写体の撮影ポーズの形成を支援する写真撮影装置用ポーズ形成支援部材であって、複数の単位構成体から構成されていることを特徴とする写真撮影装置用ポーズ形成支援部材。
【請求項９】
それぞれの単位構成体は２以上の面を有し、それぞれの単位構成体どうしの合わせる面を違えることで、写真撮影装置用ポーズ形成支援部材の形態を変更することを特徴とする請求項８記載の写真撮影装置用ポーズ形成支援部材。
【請求項１０】
それぞれの単位構成体は、形状が互いに異なることを特徴とする請求項８または９記載の写真撮影装置用ポーズ形成支援部材。
【請求項１１】
単位構成体は２または３個であり、それぞれの単位構成体は、箱型形状で、かつ、前記それぞれの単位構成体に共通する同一形状の面を少なくとも一つ有し、さらに前記同一形状の面に垂直な方向の寸法が互いに異なることを特徴とする請求項８〜１０の何れか１項に記載の写真撮影装置用ポーズ形成支援部材。
【請求項１２】
それぞれの単位構成体は同じ形状であることを特徴とする請求項８または９に記載の写真撮影装置用ポーズ形成支援部材。
【請求項１３】
単位構成体は２個であり、それぞれの単位構成体は、断面形状がＬ字状であることを特徴とする請求項１２記載の写真撮影装置用ポーズ形成支援部材。
【発明の詳細な説明】
【技術分野】
【０００１】
本発明は、撮影ブース内に、被写体の撮影ポーズの形成を支援するポーズ形成支援手段を備えた写真撮影装置および写真撮影装置用ポーズ形成支援部材に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような写真撮影装置においては、被写体であるユーザが個性的な撮影ポーズを容易に形成することができるように、撮影ブース内に、ユーザの撮影ポーズの形成を支援する椅子などのポーズ形成支援手段が固定的に備えられたものがある。
【０００４】
例えば、特許文献１には、一部が収納し得る引出型の段差ステージ、帯状または棒状の人体支持具、ネット状の人体支持具、あるいはブランコまたは吊り輪などの吊下状の人体支持具が、撮影ルーム内に設置されていることが記載されている。
【０００５】
このように、撮影ルーム内に、撮影時にユーザの撮影ポーズの形成を支援するポーズ形成支援手段が設けられていることで、ユーザは撮影イメージに合うポーズを容易に形成することができ、所望の写真撮影を行うことができる。
【特許文献１】特開２００２−３５４２９８号公報
【発明の開示】
【発明が解決しようとする課題】
【０００６】
特許文献１に開示されているように、従来、撮影ブース内に備えられる引出型の段差ステージ、帯状または棒状の人体支持具、ネット状の人体支持具、あるいは、ブランコまたは吊り輪などの吊下状の人体支持具といったポーズ形成支援手段は、いずれにおいても、ひと目でその使用形態を把握することができるシンプルなものであり、ユーザは、その見た目の印象と先入観につられて、ついついありがちな撮影ポーズをとってしまう傾向にある。例えば、撮影ブース内にブランコが設けられている場合、このブランコを用いて撮影ポーズをとるほとんどのユーザが、ブランコの底板部分に座るといった、他のユーザとほとんど同一の撮影ポーズをとってしまうことがある。
【０００７】
しかしながら、ユーザにとっては、他のユーザと比べてより個性的な撮影ポーズで楽しく写真撮影をすることが好ましく、上記のようなポーズ形成支援手段を用いる場合、ユーザが思いつく撮影ポーズが限られるため、形成する撮影ポーズの自由度が低くなってしまう恐れがある。また、上述したように、従来のポーズ形成支援手段は、撮影ブース内に固定的に配置され、ポーズ形成支援手段の移動ができないので、ユーザが取りうる撮影ポーズの自由度はさらに低くなってしまう恐れがある。
【０００８】
さらに上述したように、上記のポーズ形成支援手段は、ひと目でその使用形態を把握することができるシンプルなものであるため、ユーザによってはすぐに飽きられてしまう恐れもある。
【０００９】
そこで本発明はこのような問題を解決して、写真撮影装置の撮影ブース内において、ユーザが好みに応じてより個性的な撮影ポーズを形成できるようにすることを目的とする。
【課題を解決するための手段】
【００１０】
上記課題を解決するために請求項１記載の発明は、撮影ブース内の被写体を撮影する撮影手段と、前記撮影ブース内に設けられ、前記被写体の撮影ポーズの形成を支援するポーズ形成支援手段とを備える写真撮影装置であって、前記ポーズ形成支援手段は複数の単位構成体から構成されているものである。
【００１１】
このような構成によると、ポーズ形成支援手段は複数の単位構成体から構成されているので、例えば、被写体であるユーザは、それぞれの単位構成体の配置を好みに応じて変更することができ、これにより、ポーズ形成支援手段の使用時の形態を、撮影ブース内で任意に変更することができる。したがって、ユーザは、好みの形態に変更したポーズ形成支援手段を利用することで、形成しようとする撮影ポーズの自由度が高くなり、より個性的な撮影ポーズを形成することができる。
【００１２】
請求項２記載の発明は、請求項１記載の写真撮影装置において、それぞれの単位構成体は２以上の面を有し、ポーズ形成支援手段は、それぞれの単位構成体どうしの合わせる面を違えることにより、形態を変更可能に構成されているものである。
【００１３】
このような構成によると、例えば、ユーザは、それぞれの単位構成体どうしの合わせる面を好みに応じて違えることにより、ポーズ形成支援手段の使用時の形態を変更することができる。したがって、ユーザは、好みの形態に変更したポーズ形成支援手段を利用することで、形成しようとする撮影ポーズの自由度が高くなり、より個性的な撮影ポーズを形成することができる。さらに、ユーザの好みに応じてポーズ形成支援手段の形態を変更できることにより、ユーザに対して、新たな使用形態を創造させるという楽しさを提供することもできる。
【００１４】
請求項３記載の発明は、請求項１または２記載の写真撮影装置において、それぞれの単位構成体は、形状が互いに異なるものである。
【００１５】
このような構成によると、それぞれの単位構成体は、形状が互いに異なるので、ポーズ形成支援手段の形態の種類が多くなり、ユーザにとっては形成しようとする撮影ポーズの自由度がさらに高くなる。これにより、ユーザは、より個性的な撮影ポーズを形成することができる。
【００１６】
請求項４記載の発明は、請求項１〜３の何れか１項に記載の写真撮影装置において、ポーズ形成支援手段は２または３個の単位構成体からなり、それぞれの単位構成体は、箱型形状で、かつ、前記それぞれの単位構成体に共通する同一形状の面を少なくとも一つ有し、さらに前記同一形状の面に垂直な方向の寸法が互いに異なるものである。
【００１７】
このような構成によると、例えば、それぞれの単位構成体を撮影ブースの床面に設置すると、前記寸法の違いにより、それぞれの単位構成体の間には段差が生ずるので、ユーザにとっては形成しようとする撮影ポーズの自由度がさらに高くなる。また、それぞれの単位構成体は、箱型形状で、かつ、それぞれに共通する同一形状の面を少なくとも一つ有するので、前記面どうしを合わせて配置することで、ユーザに対してブロック遊びのような楽しさを提供することができる。
【００１８】
請求項５記載の発明は、請求項１または２に記載の写真撮影装置において、それぞれの単位構成体は同じ形状であるものである。
【００１９】
このような構成によると、それぞれの単位構成体は同じ形状であるので、それぞれの単位構成体を並べて配置することでポーズ形成支援手段の外観を整えることができ、撮影画像に写り込むポーズ形成支援手段が、仕上がる写真の印象を損ねないようにすることができる。
【００２０】
請求項６記載の発明は、請求項５記載の写真撮影装置において、ポーズ形成支援手段は２個の単位構成体からなり、それぞれの単位構成体は、断面形状がＬ字状であるものである。
【００２１】
このような構成によると、互いの単位構成体の組み合わせ方や配置を違えることにより、ポーズ形成支援手段の形態をさまざまに変更することができ、ユーザにとっては形成しようとする撮影ポーズの自由度がさらに高くなる。例えば、２個の単位構成体が箱型で同一の形状である場合に比べて、ポーズ形成支援手段の形態を、背もたれ付きのベンチ型、凸字状、凹字状など、２個の箱型形状の単位構成体では形成できない形態に変更させることができる。
【００２２】
請求項７記載の発明は、請求項１〜６の何れか１項に記載の写真撮影装置において、ポーズ形成支援手段の形態の変更例をユーザに対して表示する表示手段を備えるものである。
【００２３】
このような構成によると、ユーザは、表示手段に表示されるポーズ形成支援手段の形態の変更例を参考にして、ポーズ形成支援手段の形態を、目的に合った形態に容易に変更させることができ、撮影時間の短縮を図ることができる。さらに、ポーズ形成支援手段の形態の変更例が表示されることで、ユーザが思いつかない形態をユーザに対して教示することができ、これにより、ユーザにとっては形成しようとする撮影ポーズの自由度がいっそう高くなる。
【００２４】
請求項８記載の発明は、撮影ブース内の被写体を撮影する撮影手段を有する写真撮影装置における前記撮影ブース内に配置されて前記被写体の撮影ポーズの形成を支援する写真撮影装置用ポーズ形成支援部材であって、複数の単位構成体から構成されているものである。
【００２５】
このような構成によると、例えば、被写体であるユーザは、それぞれの単位構成体の配置を好みに応じて変更することができ、これにより、写真撮影装置用ポーズ形成支援部材の使用時の形態を、撮影ブース内で任意に変更することができる。したがって、ユーザは、好みの形態に変更した写真撮影装置用ポーズ形成支援部材を利用することで、形成しようとする撮影ポーズの自由度が高くなり、より個性的な撮影ポーズを形成することができる。
【００２６】
請求項９記載の発明は、請求項８記載の写真撮影装置用ポーズ形成支援部材において、それぞれの単位構成体は２以上の面を有し、それぞれの単位構成体どうしの合わせる面を違えることで、写真撮影装置用ポーズ形成支援部材の形態を変更するものである。
【００２７】
このような構成によると、例えば、ユーザは、それぞれの単位構成体どうしの合わせる面を好みに応じて違えることにより、写真撮影装置用ポーズ形成支援部材の使用時の形態を任意に変更することができる。したがって、ユーザは、好みの形態に変更した写真撮影装置用ポーズ形成支援部材を利用することで、形成しようとする撮影ポーズの自由度が高くなり、より個性的な撮影ポーズを形成することができる。さらに、ユーザの好みに応じて写真撮影装置用ポーズ形成支援部材の形態を変更することができるので、ユーザに対して、新たな使用形態を創造させるという楽しさを提供することもできる。
【００２８】
請求項１０記載の発明は、請求項８または９記載の写真撮影装置用ポーズ形成支援部材において、それぞれの単位構成体は、形状が互いに異なるものである。
【００２９】
このような構成によると、それぞれの単位構成体は、形状が互いに異なるので、写真撮影装置用ポーズ形成支援部材の形態の種類が多くなり、ユーザにとっては形成しようとする撮影ポーズの自由度がさらに高くなる。これにより、ユーザは、より個性的な撮影ポーズを形成することができる。
【００３０】
請求項１１記載の発明は、請求項８〜１０の何れか１項に記載の写真撮影装置用ポーズ形成支援部材であって、単位構成体は２または３個であり、それぞれの単位構成体は、箱型形状で、かつ、前記それぞれの単位構成体に共通する同一形状の面を少なくとも一つ有し、さらに前記同一形状の面に垂直な方向の寸法が互いに異なるものである。
【００３１】
このような構成によると、例えば、それぞれの単位構成体を撮影ブースの床面に設置すると、前記寸法の違いにより、それぞれの単位構成体の間には段差が生ずるので、ユーザにとっては形成しようとする撮影ポーズの自由度がさらに高くなる。また、それぞれの単位構成体は、箱型形状で、かつ、それぞれに共通する同一形状の面を少なくとも一つ有するので、前記面どうしを合わせて配置することで、ユーザに対してブロック遊びのような楽しさを提供することができる。
【００３２】
請求項１２記載の発明は、請求項８または９に記載の写真撮影装置用ポーズ形成支援部材であって、それぞれの単位構成体は同じ形状であるものである。
【００３３】
このような構成によると、それぞれの単位構成体は同じ形状であるので、それぞれの単位構成体を並べて配置することで写真撮影装置用ポーズ形成支援部材の外観を整えることができ、撮影画像に写り込む写真撮影装置用ポーズ形成支援部材が、仕上がる写真の印象を損ねないようにすることができる。
【００３４】
請求項１３記載の発明は、請求項１２記載の写真撮影装置用ポーズ形成支援部材において、単位構成体は２個であり、それぞれの単位構成体は、断面形状がＬ字状であるものである。
【００３５】
このような構成によると、互いの単位構成体の組み合わせ方や配置を違えることにより、写真撮影装置用ポーズ形成支援部材の形態をさまざまに変更することができ、ユーザにとっては形成しようとする撮影ポーズの自由度がさらに高くなる。例えば、２個の単位構成体が箱型で同一の形状である場合に比べて、写真撮影装置用ポーズ形成支援部材の形態を、背もたれ付きのベンチ型、凸字状、凹字状など、２個の箱型形状の単位構成体では形成できない形態に変更させることができる。
【発明の効果】
【００３６】
以上のように本発明によれば、ポーズ形成支援手段は複数の単位構成体から構成されているので、例えば、被写体であるユーザは、それぞれの単位構成体の配置を好みに応じて変更することができ、これにより、ポーズ形成支援手段の使用時の形態を、撮影ブース内で任意に変更することができる。したがって、ユーザは、好みの形態に変更したポーズ形成支援手段を利用することで、形成しようとする撮影ポーズの自由度が高くなり、より個性的な撮影ポーズを形成することができる。
【発明を実施するための最良の形態】
【００３７】
本発明の実施の形態を、図１〜図２１を参照しながら説明する。図１は、本発明の実施の形態の写真撮影装置１の斜視図、図２は、写真撮影装置１の側面図、図３は、写真撮影装置１の平面図である。
【００３８】
図１〜図３に示すように、写真撮影装置１は、被写体を撮影する撮影手段であるカメラ２を備えるとともに種々の処理および制御を行う機器を備える筐体３と、この筐体３におけるカメラ２と対向する位置に距離を置いて設けられている背景ユニット４と、筐体３と背景ユニット４の上部に左右一対の天井フレーム５が架設されて形成される撮影ブース６内に設けられ、被写体であるユーザ７の撮影ポーズの形成を支援するポーズ形成支援手段（写真撮影装置用ポーズ形成支援部材）８とを備える。
【００３９】
筐体３におけるユーザ７に対向する側（以下、ユーザ側と記す）の面には、カメラ２のほか、カメラ２が現在撮影している画像をユーザ７に対してリアルタイムで表示するライブモニタ９と、ユーザ７からの操作入力を受け付ける操作部１０と、デモ画面や撮影操作の手順等をユーザ７に対して表示するディスプレイ１１と、コインを投入するためのコイン投入口１２と、図示は省略するが、撮影操作時に音声案内やＢＧＭを出力する撮影側スピーカとが設けられている。
【００４０】
また、この筐体３のユーザ側とは反対側（以下、背面側と記す）の面には、図２および図３に示すように、撮影ブース６において撮影した画像を表示して付属のタッチペン２０によりユーザ７からの編集画像の入力を受け付けるタブレットディスプレイ２１と、図示は省略するが、編集入力操作時に音声案内やＢＧＭを出力する編集側スピーカとが設けられている。なお、図中の２２Ａは、この筐体３の背面側が面する空間であってユーザ７が編集入力操作を行うスペースである編集ブースである。また、詳細は後述するが、図中の２２Ｂは、背景ユニット４の背面側が面する編集ブースであり、本実施の形態の写真撮影装置１は、筐体３側および背景ユニット４側のそれぞれに編集ブースを有する構成であるので、これを明示するため、符号を異にして示している。
【００４１】
さらに、図１〜図３に示すように、この筐体３の一方の側面部にはプリント取出口２３が設けられ、このプリント取出口２３からは、撮影画像と編集入力した画像とを合成した合成画像（編集画像を入力しなかった場合には撮影画像）が筐体３に収納されたプリンタによってシールシートなどの印刷媒体に印刷されたものが排出される。
【００４２】
一方、背景ユニット４におけるユーザ７に対向する側（以下、ユーザ側と記す）の上部には、撮影時にユーザ７の背景となる背景カーテン３０を複数種類備えたカーテンユニット３１が設けられている。それぞれの背景カーテン３０は、カーテンユニット３１内に巻き取られた状態で収納されており、カーテンユニット３１は、ユーザ７から操作部１０への操作を介して指定された背景カーテン３０を、背景ユニット４の壁面に沿って垂下させる。
【００４３】
また、背景ユニット４におけるユーザ側とは反対側（以下、背面側と記す）には、筐体３と同様、撮影ブース６において撮影した画像を表示して付属のタッチペン２０によりユーザ７からの編集画像の入力を受け付けるタブレットディスプレイ２１と、図示は省略するが、編集入力操作時に音声案内やＢＧＭを出力する編集側スピーカとが設けられている。なお、上述したように、図中の２２Ｂは、この背景ユニット４の背面側が面する空間であってユーザ７が編集入力操作を行うスペースである編集ブースである。上記の撮影ブース６および編集ブース２２Ａ、２２Ｂの周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００４４】
撮影ブース６内に配置されるポーズ形成支援手段８の詳細を、図１〜図７を参照しながら説明する。なお、説明の便宜上、図１のように見て筐体３から背景ユニット４にかけての方向を撮影ブース６の長さ方向、長さ方向に垂直な水平方向を撮影ブース６の幅方向、長さ方向に垂直な鉛直方向を撮影ブース６の高さ方向とし、また、ポーズ形成支援手段８において、図２のように見て筐体３側を前側、背景ユニット４側を後ろ側とする。図４〜図７は、ポーズ形成支援手段８の使用時の形態の例を示す斜視図である。また、図４〜図７において、図中の矢印Ａの方向は、撮影ブース６内における撮影方向を示している（図８以降も同様）。
【００４５】
図４〜図７に示すように、ポーズ形成支援手段８は、箱型形状、ここでは直方体形状の第１の単位構成体４０と、同じく直方体形状の第２の単位構成体４１とからなる。なお、第１の単位構成体４０の上面を４０ａ、前側面を４０ｂ、左側面を４０ｃとし、それぞれの面に対向する同形状の面を、底面４０ｄ、後側面４０ｅ、右側面４０ｆとする。また、第２の単位構成体４１の上面を４１ａ、前側面を４１ｂ、左側面を４１ｃとし、それぞれの面に対向する同形状の面を、底面４１ｄ、後側面４１ｅ、右側面４１ｆとする。
【００４６】
第１の単位構成体４０および第２の単位構成体４１は、それぞれの各面とほぼ同形状の板部材がつなぎ合わせられることで直方体形状に形成された骨格部と、この骨格部の外面を覆うスポンジ等の緩衝部材とにより構成されており、それぞれの単位構成体４０、４１どうしは互いに分離可能とされ、また、それぞれの単位構成体４０、４１の各面にユーザが着座できるようにされている。
【００４７】
第１の単位構成体４０の上面４０ａと第２の単位構成体４１の上面４１ａ、第１の単位構成体４０の底面４０ｄと第２の単位構成体４１の底面４１ｄは同じ形状であり、第１の単位構成体４０における上面４０ａに垂直な方向である高さ方向の寸法Ｈ１は、第２の単位構成体４１における上面４１ａに垂直な方向である高さ方向の寸法Ｈ２よりも高く形成されている。
【００４８】
以上のような構成において、ユーザ７がポーズ形成支援手段８を利用して写真撮影時に撮影ポーズをとる際には、ユーザ７は、それぞれの単位構成体４０、４１どうしの合わせる面を好みに応じて違えることにより、ポーズ形成支援手段８の使用時の形態を任意に変更することができる。
【００４９】
例えば、図４に示すように、第１の単位構成体４０の左側面４０ｃと第２の単位構成体４１の右側面４１ｆとを接触させた状態で横並びに配置したり、図示は省略するが、第１の単位構成体４０の前側面４０ｂと第２の単位構成体４１の後側面４１ｅとを接触させた状態で縦並びに配置したりして、ユーザ７は、ポーズ形成支援手段８の使用時の形態を、撮影ブース６内で任意に変更することができる。
【００５０】
これにより、ユーザ７は、ポーズ形成支援手段８が横並びの形態であれば、横並びの状態でかつ左右のユーザ７ａ、７ｂどうしの顔の位置（高さ）が異なる写真を楽な姿勢で撮影することができ、また、ポーズ形成支援手段８が縦並びの形態であれば、縦並びの状態でかつ前後のユーザ７ａ、７ｂどうしの顔の位置（高さ）が異なる写真を楽な姿勢で撮影することができる。したがって、ユーザ７は、好みの形態に変更したポーズ形成支援手段８を利用することで、形成しようとする撮影ポーズの自由度が高くなり、より個性的な撮影ポーズを形成することができる。
【００５１】
また、ポーズ形成支援手段８の使用時の形態の変更例としては、図４に示した場合のほか、図５〜図７に示す場合がある。図５に示す場合は、第１の単位構成体４０と第２の単位構成体４１とを離した状態で横並びに配置した場合であり、このような形態の場合には、ユーザ７は、第１の単位構成体４０と第２の単位構成体４１との間にユーザ７ｃを介在させた状態で撮影ポーズを形成する、すなわち図４に示す場合とは異なる撮影ポーズを形成することができる。なお、図５においては、第１の単位構成体４０と第２の単位構成体４１とを離した状態で横並びに配置した場合を示しているが、当然に縦並びに配置することもできる。
【００５２】
また、図６は、第１の単位構成体４０の上面４０ａと第２の単位構成体４１の底面４１ｄとを合わせた状態で、第１の単位構成体４０と第２の単位構成体４１とを横並びに配置した場合の形態であり、このような形態の場合には、ユーザ７ａ、７ｂは、図４および図５に示した形態のときとは異なる撮影ポーズを形成する、すなわち左右のユーザ７ａ、７ｂどうしの顔の位置（高さ）が揃った写真を楽な姿勢で撮影することができ、さらにはポーズ形成支援手段８の外観を整える、すなわちポーズ形成支援手段８の幅方向に沿って大きな段差が生じないようにすることができ、撮影画像に写り込むポーズ形成支援手段８が、仕上がる写真の印象を損ねないようにすることができる。
【００５３】
さらに、図７は、第１の単位構成体４０の上面４０ａと第２の単位構成体４１の底面４１ｄとを合わせた状態で、第１の単位構成体４０と第２の単位構成体４１とを上下に配置した場合であり、このような形態の場合には、上述した場合と同様に、ユーザ７ａ、７ｂは、図４〜図６に示した形態のときとは異なる撮影ポーズを形成することができ、さらにはポーズ形成支援手段８の外観を整える、すなわちポーズ形成支援手段８の高さ方向に沿って大きな段差が生じないようにすることができる。また、このような形態にすることで、ユーザは、ポーズ形成支援手段８によって体の一部を隠した状態、例えば第２の単位構成体４１の後方に回り、この第２の単位構成体４１の上部から顔だけを出した状態で撮影ポーズをとることができ、より楽しくかつ個性的な写真を撮影することができる。
【００５４】
上記のように、ポーズ形成支援手段８が第１の単位構成体４０および第２の単位構成体４１から構成されていることにより、ユーザ７は、それぞれの単位構成体４０、４１の配置を好みに応じて変更することができ、これにより、ポーズ形成支援手段８の使用時の形態を、撮影ブース６内で任意に変更することができる。これにより、ユーザ７は、形成しようとする撮影ポーズの自由度が高くなり、より個性的な撮影ポーズを形成することができる。また、ポーズ形成支援手段８は、上述のように、ユーザ７の好みに応じてその形態を変更できるので、ユーザ７に対して、新たな使用形態を創造させるという楽しさを提供することもできる。さらに、上記において説明した第１の単位構成体４０と第２の単位構成体４１とは互いに形状が異なるため、第１の単位構成体４０と第２の単位構成体４１とが同形状である場合に比べて、ポーズ形成支援手段８の形態の種類が多くなり、ユーザ７にとっては形成しようとする撮影ポーズの自由度がさらに高くなる。
【００５５】
なお、上記においては、ポーズ形成支援手段８が第１の単位構成体４０と第２の単位構成体４１とから構成される場合を説明したが、これに限らず、例えば図８（ａ）、（ｂ）に示すように、互いに高さの異なる第１の単位構成体４０、第２の単位構成体４１および第３の単位構成体４２によりポーズ形成支援手段８を構成しても良い。このような構成とすることで、２個の単位構成体４０、４１だけを用いる場合に比べて、ポーズ形成支援手段８の形態の種類が増え、ユーザ７にとっては、形成しようとする撮影ポーズの自由度が高くなり、より個性的な撮影ポーズを形成することができる。
【００５６】
また、上記においては、第１の単位構成体４０と第２の単位構成体４１とが互いに共通する同一形状の面、上記の場合は上面４０ａ、４１ａ、および底面４０ｄ、４１ｄを有しているが、図９に示すように、共通する同一形状の面を持たない場合でも良い。
【００５７】
第１の単位構成体４０および第２の単位構成体４１の形状が、例えば図９に示すような形状である場合は、第２の単位構成体４１を、第１の単位構成体４０上において右側にずらして配置するか、左側にずらして配置するかなどによって、ポーズ形成支援手段８の使用時の形態をさらに変更することができるので、ユーザ７にとっては、形成しようとする撮影ポーズの自由度がさらに高くなる。なお、図９に示す第１の単位構成体４０の形状と第２の単位構成体４１の形状とは相似関係であっても良い。
【００５８】
また、上記においては、それぞれの単位構成体４０、４１が直方体形状の場合を説明したが、箱型形状であれば立方体形状であってもかまわない。また、それぞれの単位構成体４０、４１は、箱型形状でなく、図１０に示すような円柱形状、図１１に示すような円錐台形状、また、図示はしないが角錐台形状であっても良い。なお、円錐台形状、角錐台形状の単位構成体によりポーズ形成支援手段８を構成する場合には、図１１に示すように、第１の単位構成体４０の上部に第２の単位構成体４１を配置したときに、第１の単位構成体４０の側面４０ｂと第２の単位構成体４１の側面４１ｂとが面一になるようにしておくと、ポーズ形成支援手段８の外観を整えることができ、撮影画像に写り込むポーズ形成支援手段８が、仕上がる写真の印象を損ねないようにすることができる。
【００５９】
また、単位構成体の形状は上記において説明した形状に限られず、例えば図１２に示すように、単位構成体４０（４１）が少なくとも一つの斜断面４０ｇ（４１ｇ）を有する箱型形状であったり、図１３に示すように、単位構成体４０（４１）が少なくとも一つの斜断面４０ｇ（４１ｇ）を有する角錐台形状であったり、図示はしないが、同じく少なくとも一つの斜断面４０ｇ（４１ｇ）を有する円錐台形状であったりしてもよい。また、同じく図示は省略するが、平行六面体形状のものなど、単位構成体は、２以上の面を有する形状であれば、上記の場合と同様にポーズ形成支援手段８の形態をさまざまに変更させることができる。
【００６０】
また、上記においては、第１の単位構成体４０と第２の単位構成体４１とが同様な形状、例えば箱型形状どうし、円柱形状どうし、錐型形状どうしの場合を説明しているが、これに限らず、例えば一方の単位構成体が箱型形状で他方の単位構成体が錐型形状といったように、全く異なる形状の組み合わせであっても良い。さらに、一つの単位構成体に箱型形状部分、円柱型形状部分、錐型形状部分などの異なる形状部分が複数含まれていても良い。
【００６１】
また、上記においては、第１の単位構成体４０と第２の単位構成体４１とが異なる形状である場合を説明したが、これに限らず、同一形状であってもよい。この場合の例を、図１４〜図２０を参照しながら説明する。
【００６２】
図１４に示すように、第１の単位構成体５０は、直方体状の部材から仮想線にて示すカドの部分５０ａを切り欠いた形状（以下、この部分を切欠き部と記す）、すなわち、図１４のように見て、断面がＬ字形状に形成されており、切り欠いた寸法Ｌ１と残りの突出した部分５０ｂの寸法Ｌ２とが同じ寸法とされている。なお、第１の単位構成体５０の上面を５０ｃ、前側面を５０ｄ、左側面を５０ｅとし、それぞれの面に対向する面を、底面５０ｆ、後側面５０ｇ、右側面５０ｈとする。また、第１の単位構成体５０における切欠き部５０ａに対応する面を、実際には切欠かれて形成されていないが便宜上、縦切欠き面５０ｉ、横切欠き面５０ｊとする。また、上記のことは、第２の単位構成体５１についても同様であるので、図１４において、第２の単位構成体５１については、括弧書きにて符号を表示している。
【００６３】
このような構成において、ユーザ７がポーズ形成支援手段６０を利用して写真撮影時に撮影ポーズをとる際には、ユーザ７は、それぞれの単位構成体５０、５１どうしの合わせる面を好みに応じて違えることにより、ポーズ形成支援手段６０の使用時の形態を、撮影ブース６内で任意に変更することができる。
【００６４】
例えば、図１５に示すように、第１の単位構成体５０の後側面５０ｇと第２の単位構成体５１の前側面５１ｄとを接触させた状態で横並びに配置して、ポーズ形成支援手段６０の形態を背もたれ付きのベンチ状に変更することで、ユーザ７は、横並びの状態でかつ左右のユーザ７ａ、７ｂどうしの顔の位置（高さ）が揃う写真を、楽な姿勢で撮影することができる。また、第１の単位構成体５０の前側面５０ｄと第２の単位構成体５１の後側面５１ｇとを接触させた状態で横並びに配置した場合であっても、図１６に示すように、突出部５０ｂ、５１ｂが撮影ブース６の床面側になるように配置することで、図１５に示す場合に比べて、ポーズ形成支援手段６０の天面６１を広くすることができ、ユーザ７ｂは、この天面６１上で容易に寝そべったりすることができ、図１５に示した形態の場合とは異なる撮影ポーズを形成することができる。上記のように、ユーザ７は、好みの形態に変更したポーズ形成支援手段６０を利用することで、形成しようとする撮影ポーズの自由度が高くなり、より個性的な撮影ポーズを形成することができる。
【００６５】
また、ポーズ形成支援手段６０の使用時の形態の変更例としては、図１５および図１６に示した場合のほか、例えば図１７〜図２０に示す場合がある。なお、図１５〜図２０においては、第１の単位構成体５０と第２の単位構成体５１とを接触させた状態で配置しているが、互いに離した状態で配置しても良い。
【００６６】
図１７に示す場合は、第１の単位構成体５０の切欠き部５０ａに第２の単位構成体５１の突出部５１ｂを対応させ、すなわち第１の単位構成体５０の上面５０ｃと第２の単位構成体５１の横切欠き面５１ｊ、第１の単位構成体５０の縦切欠き面５０ｉと第２の単位構成体５１の縦切欠き面５１ｉ、第１の単位構成体５０の横切欠き面５０ｊと第２の単位構成体５１の上面５１ｃとを接触させ、第１の単位構成体５０および第２の単位構成体５１を寝かせた状態で配置した場合である。このような場合、第１の単位構成体５０の切欠き部５０ａと第２の単位構成体５１の突出部５１ｂとが同じ形状であるので、ポーズ形成支援手段６０は、図示のように、幅方向に沿って大きな段差がない直方体形状になっている。したがって、ユーザ７は、ポーズ形成支援手段６０の天面６１に寝そべったり、腰掛けたりして、個性的な撮影ポーズを形成することができる。
【００６７】
また、図１８は、第１の単位構成体５０の後側面５０ｇと第２の単位構成体５１の底面５１ｆとを接触させた状態で配置した場合である。このような場合、ポーズ形成支援手段６０の形態としては、例えば図１７に示した形態に比べて、外面に多数の凹凸が現れるので、ユーザ７は、形成しようとする撮影ポーズの自由度が高くなり、より個性的な撮影ポーズを形成することができる。
【００６８】
また、第１の単位構成体５０および第２の単位構成体５１が、断面形状がＬ字状であることで、ポーズ形成支援手段６０の形態を、図１９に示すような凸字形状、図２０に示すような凹字形状といった、２個の箱型形状の単位構成体では形成できない形態に変更させることができる。したがって、単位構成体５０、５１が箱型形状である場合に比べて、ポーズ形成支援手段６０の形態の種類が多くなり、ユーザ７にとっては形成しようとする撮影ポーズの自由度がさらに高くなるので、ユーザ７は、より個性的な撮影ポーズを形成することができる。また、このような構成であることで、ユーザ７に対して、新たな使用形態を創造させるという楽しさを提供することもできる。
【００６９】
なお、上記においては、各面が平面である場合を示しているが、これに限られず、少なくとも一つの面が、凸状もしくは凹状の曲面であっても良い。また、上記においては単位構成体が板部材からなる骨格部とその外周を覆う緩衝部材とからなる場合を説明したが、これに限らず、単位構成体を硬質の発泡樹脂を用いて軽量で、かつ、内部も発泡樹脂が詰まった状態であるいわゆる中実に形成しても良い。このような場合には、ユーザ７は、ポーズ形成支援手段８（６０）が軽いことにより、ポーズ形成支援手段８（６０）の形態の変更を撮影ブース６内で容易に行うことができるとともに、発泡樹脂とはいえ中実に形成されていることで、単位構成体の強度を向上させることができる。
【００７０】
また、写真撮影装置１においては、上記のようなポーズ形成支援手段８（６０）の形態の変更例のいくつかを、図２１に示すようにユーザ７に対して表示する表示手段を備えても良い。この場合、撮影をしようとするユーザ７に対して、形態の変更例を表示するので、上記の表示手段は、筐体３に設けられているディスプレイ１１（図１参照）である。なお、図２１においてはポーズ形成支援手段６０の形態の変更例を示している。
【００７１】
ポーズ形成支援手段６０の形態の変更例を、図２１に示すような表示画面７０を表示してユーザ７に教示することで、ユーザ７は表示画面７０に表示される形態の変更例を参考にして、ポーズ形成支援手段６０の形態を、目的に合った形態に容易に変更させることができ、撮影時間の短縮を図ることができる。さらに、ポーズ形成支援手段６０の形態の変更例が表示されることで、ユーザ７に対して、ユーザ７が思いつかない形態を教示することができ、これにより、ユーザ７にとっては形成しようとする撮影ポーズの自由度がいっそう高くなる。
【００７２】
なお、表示手段は、撮影をしようとするユーザ７に対して形態の変更例を表示できるのであれば、上記のディスプレイ１１に限られるものではない。さらに、表示手段は、撮影ブース６外のユーザに対して、形態の変更例をパネル表示するものであっても良い。この場合、ユーザは、写真撮影を開始する前に、自らが所望する形態をあらかじめ決定しておくことができ、撮影時間の短縮を図ることができる。また、表示画面７０は、撮影処理や編集処理、印刷処理における処理待機時間中に、ディスプレイ１１やタブレットディスプレイ２１に表示されても良い。
【００７３】
また、写真撮影装置１に上記のような表示手段を設ける場合、単位構成体５０（５１）の各面に、互いに異なる色を付け、例えば「赤色の面と青色の面とを合わせてみてね」といった音声または画面表示による案内をユーザ７に対して行っても良い。また、このように各面に着色する場合、既に知られているクロマキー合成処理により、所定の色が施された面に、図柄などの他の画像を合成するようにしても良い。
【００７４】
上記のようにして、より個性的で自分の好みに合致した写真を満足に撮影したユーザ７は、撮影した画像が表示される編集ブース２２Ａ（または２２Ｂ）に移動し、タッチペン２０を用いて、撮影画像が表示されるタブレットディスプレイ２１に編集入力を行う。そして、編集入力が終わると、ユーザ７は、撮影画像と編集入力画像とが合成処理されて生成された印刷用画像がシールシートに印刷されて排出されるプリント取出口２３に移動し、出力されるシールシートを取得して写真撮影装置１の利用を終了する。なお、上記の撮影処理、編集処理および印刷処理の詳細については、写真撮影装置の分野において既に公知であるので、本実施の形態においては説明を省略する。
【００７５】
以上のように本発明によると、ポーズ形成支援手段８は単位構成体４０、４１（、４２）、ポーズ形成支援手段６０は単位構成体５０、５１から構成されているので、例えば、ユーザ７は、それぞれの単位構成体の配置を好みに応じて変更することができ、これにより、ポーズ形成支援手段８、６０の使用時の形態を、撮影ブース６内で任意に変更することができる。したがって、ユーザ７は、好みの形態に変更したポーズ形成支援手段８、６０を利用することで、形成しようとする撮影ポーズの自由度が高くなり、より個性的な撮影ポーズを形成することができる。
【図面の簡単な説明】
【００７６】
【図１】本発明の実施の形態の写真撮影装置の斜視図である。
【図２】図１に示す写真撮影装置の側面図である。
【図３】図１に示す写真撮影装置の平面図である。
【図４】ポーズ形成支援手段の使用時の形態の例を示す斜視図である。
【図５】ポーズ形成支援手段の使用時の形態の例を示す斜視図である。
【図６】ポーズ形成支援手段の使用時の形態の例を示す斜視図である。
【図７】ポーズ形成支援手段の使用時の形態の例を示す斜視図である。
【図８】ポーズ形成支援手段が３個の単位構成体から構成される場合を示す斜視図である。
【図９】第１の単位構成体と第２の単位構成体とが共通する同一形状の面を持たない場合のポーズ形成支援手段を示す斜視図である。
【図１０】単位構成体が円柱形状である場合のポーズ形成支援手段を示す斜視図である。
【図１１】単位構成体が円錐台形状である場合のポーズ形成支援手段を示す斜視図である。
【図１２】単位構成体が斜断面を有する箱型形状である場合を示す斜視図である。
【図１３】単位構成体が斜断面を有する角錐台形状である場合を示す斜視図である。
【図１４】２個の単位構成体が同一形状で断面がＬ字形状である場合を示す斜視図である。
【図１５】図１４に示す単位構成体を２個用いてなるポーズ形成支援手段の形態の変更例を示す斜視図である。
【図１６】図１４に示す単位構成体を２個用いてなるポーズ形成支援手段の形態の変更例を示す斜視図である。
【図１７】図１４に示す単位構成体を２個用いてなるポーズ形成支援手段の形態の変更例を示す斜視図である。
【図１８】図１４に示す単位構成体を２個用いてなるポーズ形成支援手段の形態の変更例を示す斜視図である。
【図１９】図１４に示す単位構成体を２個用いてなるポーズ形成支援手段の形態の変更例を示す斜視図である。
【図２０】図１４に示す単位構成体を２個用いてなるポーズ形成支援手段の形態の変更例を示す斜視図である。
【図２１】ポーズ形成支援手段の形態の変更例を、ユーザに対して表示する表示画面の例を示す図である。
【符号の説明】
【００７７】
２    カメラ
６    撮影ブース
７    ユーザ
８    ポーズ形成支援手段
４０    第１の単位構成体
４１    第２の単位構成体
【図１】
2007025555.tif 000003
【図２】
2007025555.tif 000004
【図３】
2007025555.tif 000005
【図４】
2007025555.tif 000006
【図５】
2007025555.tif 000007
【図６】
2007025555.tif 000008
【図７】
2007025555.tif 000009
【図８】
2007025555.tif 000010
【図９】
2007025555.tif 000011
【図１０】
2007025555.tif 000012
【図１１】
2007025555.tif 000013
【図１２】
2007025555.tif 000014
【図１３】
2007025555.tif 000015
【図１４】
2007025555.tif 000016
【図１５】
2007025555.tif 000017
【図１６】
2007025555.tif 000018
【図１７】
2007025555.tif 000019
【図１８】
2007025555.tif 000020
【図１９】
2007025555.tif 000021
【図２０】
2007025555.tif 000022
【図２１】
2007025555.tif 000023